(57)【要約】【課題】温度変化でクリップが伸縮する際、ランプの周方向への相対移動をなくし、この相対移動によるきしみ音の発生をなくすることができるクリップ及び光源装置を提供する。【解決手段】円筒形をなすランプ２の二つの周方向位置に当接する当接部３１，３２を有する二つの挾持片３３，３４を、該挾持片３３，３４を保持する保持台３５に対しハ字形となる位置に設け、挾持片３３，３４が温度変化により伸縮する際に、該挾持片３３，３４が有する当接部３１，３２をランプ２の径方向へ変位させるべき箇所を支点Ｏ１，Ｏ２として撓み可能とした。【選択図】図３
2008108627.tif 000002
【特許請求の範囲】
【請求項１】
断面円筒形をなすランプの複数の周方向位置に各当接すべき当接部を有し、該当接部をランプに押圧してランプを挾持すべき二つの挾持片を備えるクリップにおいて、前記二つの挾持片の少なくとも一つは、該挾持片が温度変化により伸縮する際に、該挾持片が有する当接部を前記ランプの径方向へ変位させるべき箇所を支点として撓み可能にしてあることを特徴とするクリップ。
【請求項２】
前記二つの挾持片を保持する保持台を有し、前記当接部は前記ランプの周方向の三分する位置に対応する三つの位置の二つに配置され、前記保持台は前記三つの位置の一つで前記ランプの周面に当接する当接部を有する請求項１記載のクリップ。
【請求項３】
前記二つの挾持片は前記保持台に対しハ字形をなしている請求項２記載のクリップ。
【請求項４】
並置される複数本のランプと、該ランプを支持する支持部材と、請求項１乃至３のいずれか一つに記載のクリップとを備えることを特徴とする光源装置。
【発明の詳細な説明】
【技術分野】
【０００１】
本発明は断面円筒形をなすランプを挾持するクリップ及び液晶表示装置等の表示装置の光源として使用される光源装置に関する。
【背景技術】
【０００２】
テレビ等の表示装置は、画像を表示する表示面を前側に有する表示部の後側に光源装置が配されている。
【０００３】
光源装置は、後壁に複数の係止孔を有し、前側が開放されている支持部材と、該支持部材内に上下に並置される複数本の断面円筒形をなすランプと、該ランプの両端部を前記後壁に保持するホルダと、前記ランプの中間部を前記後壁に保持する複数のクリップとを備える（例えば、特許文献１参照）。
【０００４】
図８は従来のクリップの構成を示す正面図である。クリップは、ランプ１００の二つの周方向位置に各当接すべき当接部１０１，１０２を一端部に有し、い字形をなす二つの挾持片１０３，１０４と、該挾持片１０３，１０４の他端を保持し、前記ランプ１００の周面に当接する当接部１０５を有する保持台１０６と、前記後壁の取付孔に挿嵌係止されることにより前記保持台１０６を後壁に取付ける取付部１０７とを備え、合成樹脂材料により成形されている。そして、取付部１０７が後壁の取付孔に取付けられた状態で前記ランプ１００が二つの挾持片１０３，１０４間に挿嵌されるとき、二つの挾持片１０３，１０４の各当接部１０１，１０２にランプ１００の周面が当接し、二つの挾持片１０３，１０４が離隔方向へ撓みつつランプ１００が挾持片１０３，１０４間に挿嵌され、保持台１０６の当接部１０５にランプ１００の周面が当接し、二つの挾持片１０３，１０４の弾性復元により三つの当接部１０１，１０２，１０５をランプ１００に押圧し、該ランプ１００を挾持するように構成されている。
【０００５】
ところで、図８(a) のように二つの挾持片１０３，１０４の各当接部１０１，１０２間の離隔角度θを小さくすると、ランプ１００を挾持片１０３，１０４間に挿嵌し難くなり、ランプ１００の挿脱作業性が悪くなる反面、挾持片１０３，１０４の撓み中心から当接部１０１，１０２までの挾持スパンＨが長くなり、ランプ１００を外れ難くできる。また、図８(b) のように二つの挾持片１０３，１０４の当接部１０１，１０２間の離隔角度θを大きくすると、ランプ１００を挾持片１０３，１０４間に挿嵌し易くなり、ランプ１００の挿脱作業性を良好にできる反面、挾持片１０３，１０４の撓み中心から当接部１０１，１０２までの挾持スパンＨが短くなり、ランプ１００が外れ易くなる。
【０００６】
また、光源装置のランプは点灯時に昇温して高温となり、消灯時に降温して常温となる。また、ランプの中間部を挾持するクリップは複数の当接部がランプの周面に接触しているため、ランプの温度変化に対応して温度が変わる。
【特許文献１】特開２００１−２１０１２６号公報
【発明の開示】
【発明が解決しようとする課題】
【０００７】
図９は温度変化により従来のクリップが熱膨張した状態を示す説明図、図１０は熱膨張により挾持片が撓んだ状態を示す説明図、図１１は熱膨張により挾持片が撓んだ状態を拡大した説明図である。ところが、ランプ１００は一般的にガラス製であるため、点灯時に昇温しても殆ど熱膨張しないのに対し、クリップは一般的に合成樹脂製であるため、ランプ１００の点灯時に熱膨張し、消灯時に復元することになり、温度変化による伸縮量が多い。因って、クリップが熱膨張するとき、二つの挾持片１０３，１０４が撓み中心Ｏ１，Ｏ２から離隔方向へ撓み量Ａだけ撓みつつランプ１００の周面に当接している当接部１０１，１０２の当接位置がランプ１００の周方向へずれ（図１１参照）、ランプ１００との間に相対移動が発生し、また、熱膨張しているクリップが復元するとき、二つの挾持片１０３，１０４が撓み中心Ｏ１，Ｏ２から近接方向へ撓み量Ａだけ撓みつつランプ１００の周面に当接している当接部１０１，１０２の当接位置がランプ１００の周方向へずれ、ランプ１００との間に相対移動が発生し、これら両方の相対移動によりきしみ音が発生することがあった。
【０００８】
また、図８(a) のように離隔角度θが小さく、且つ挾持スパンＨが長い構成においてクリップが温度変化するとき、図１１に示すように挾持片１０３，１０４の撓み量Ａがより一層多くなり、前記当接部１０１，１０２の周方向へのずれ量がより一層多くなり、前記きしみ音がより一層発生し易い。また、図８(b) のように離隔角度θが大きく、且つ挾持スパンＨが短い構成においてクリップが温度変化するとき、前記当接部１０１，１０２の周方向へのずれによりランプ１００がより一層外れ易くなる。
【０００９】
本発明は斯かる事情に鑑みてなされたものであり、主たる目的はランプの複数の周方向位置に各当接すべき当接部を有し、該当接部をランプに押圧してランプを挾持すべき二つの挾持片の少なくとも一つを、該挾持片が温度変化により伸縮する際に、該挾持片が有する当接部を前記ランプの径方向へ変位させるべき箇所を支点として撓み可能とすることにより、温度変化でクリップが伸縮する際、ランプと当接部との相対移動によるきしみ音の発生をなくすることができるクリップを提供することにある。
【００１０】
また、他の目的はランプの周方向の三分する位置に対応する三つの位置の二つに当接部を配置し、二つの挾持片を保持する保持台に、前記三つの位置の一つでランプの周面に当接する当接部を設けてランプの三分する位置を径方向に押圧する構成とすることにより、温度変化でクリップが伸縮する際でもランプを外れ難くでき、また、ランプを挾持片間に容易に挿嵌することができるクリップを提供することにある。
【００１１】
また、他の目的は二つの挾持片を、保持台に対しハ字形をなす構成とすることにより、クリップの熱膨張に関係なく二つの挾持片の各当接部をランプの径方向へ押圧することができるクリップを提供することにある。
【００１２】
また、他の目的は並置される複数本のランプと、該ランプを支持する支持部材と、前述のクリップとを備えることにより、ランプと当接部との相対移動によるきしみ音の発生をなくすることができる光源装置を提供することにある。
【課題を解決するための手段】
【００１３】
本発明に係るクリップは、断面円筒形をなすランプの複数の周方向位置に各当接すべき当接部を有し、該当接部をランプに押圧してランプを挾持すべき二つの挾持片を備えるクリップにおいて、前記二つの挾持片の少なくとも一つは、該挾持片が温度変化により伸縮する際に、該挾持片が有する当接部を前記ランプの径方向へ変位させるべき箇所を支点として撓み可能にしてあることを特徴とする。
【００１４】
この発明にあっては、温度変化でクリップが伸縮する際、ランプに当接する当接部を有する挾持片が、当接部をランプの径方向へ変位させるべき箇所を支点として撓むため、当接部をランプの径方向へ変位させることができ、ランプの周方向への相対移動をなくすることができる。従って、温度変化でクリップが伸縮する際、ランプと当接部との相対移動によるきしみ音の発生をなくすることができる。
【００１５】
また、本発明に係るクリップは、前記二つの挾持片を保持する保持台を有し、前記当接部は前記ランプの周方向の三分する位置に対応する三つの位置の二つに配置され、前記保持台は前記三つの位置の一つで前記ランプの周面に当接する当接部を有することを特徴とする。
【００１６】
この発明にあっては、ランプの周方向の三分する位置を径方向に押圧することができるため、温度変化でクリップが伸縮する際でもランプを外れ難くでき、また、ランプを挾持片間に容易に挿嵌することができる。
【００１７】
また、本発明に係るクリップは、前記二つの挾持片は前記保持台に対しハ字形をなしていることを特徴とする。
【００１８】
この発明にあっては、クリップの熱膨張に関係なく二つの挾持片の各当接部をランプの径方向へ押圧することができるため、ランプの周方向への相対移動を防ぐことができ、ランプと当接部との相対移動によるきしみ音の発生をなくすることができる。
【００１９】
また、本発明に係る光源装置は、並置される複数本のランプと、該ランプが支持される支持部材と、前述の発明のクリップとを備えることを特徴とする。
【００２０】
この発明にあっては、ランプの温度変化に対応してクリップが熱膨張するとき、ランプに当接する当接部を有する挾持片が、当接部をランプの径方向へ変位させるべき箇所を支点として撓むため、当接部をランプの径方向へ変位させることができ、ランプの周方向への相対移動をなくすることができる。従って、温度変化でクリップが伸縮する際、ランプと当接部との相対移動によるきしみ音の発生をなくすることができる。
【発明の効果】
【００２１】
以上詳述したように本発明によれば、温度変化でクリップが伸縮する際、ランプに当接する当接部を有する挾持片が、当接部をランプの径方向へ変位させるべき箇所を支点として撓み、ランプの周方向への相対移動をなくすることができるため、ランプと当接部との相対移動によるきしみ音の発生をなくすることができる。
【００２２】
また、本発明によれば、ランプの三分する位置を径方向に押圧することができるため、温度変化でクリップが伸縮する際でもランプを外れ難くでき、また、ランプを挾持片間に容易に挿嵌することができる。
【００２３】
また、本発明によれば、クリップの熱膨張に関係なく二つの挾持片の各当接部をランプの径方向へ押圧することができるため、ランプの周方向への相対移動を防ぐことができ、ランプと当接部との相対移動によるきしみ音の発生をなくすることができる。
【００２４】
また、本発明によれば、温度変化でクリップが伸縮する際、ランプに当接する当接部がランプの径方向へ変位し、ランプの周方向への相対移動をなくすることができ、ランプと当接部との相対移動によるきしみ音の発生をなくすることができる。
【発明を実施するための最良の形態】
【００２５】
以下本発明をその実施の形態を示す図面に基づいて詳述する。図１は本発明に係る光源装置の構成を示す分解図、図２は支持部材の構成を示す平面図、図３はクリップの構成を示す正面図、図４はクリップが熱膨張し、挾持片が撓んでいる状態を示す説明図、図５は挾持片が撓んでいる状態を示す拡大した説明図である。尚、図４及び図５において、一点鎖線はクリップが熱膨張していない状態、破線はクリップが熱膨張した状態、実線は熱膨張により挾持片が撓んでいる状態を夫々表している。
【００２６】
図示した光源装置は、直方体をなす枠部１１及び周縁部が枠部１１に結合され、該枠部１１の後側を閉鎖する後壁１２を有し、前側が開放されている箱形をなす支持部材１と、該支持部材１内に上下に並置される断面円筒形をなす複数本のランプ２と、該ランプ２の両端部を枠部１１の内側に保持するホルダと、前記ランプ２の中間部を後壁１２に保持する複数のクリップ３とを備え、支持部材１の内面部は、ランプ２が発光した光を支持部材１の開放部側に反射させるべき反射面になっている。
【００２７】
ランプ２は両端部に電極を有する冷陰極管であり、夫々のランプ２の電極にインバータ回路基板が接続され、パルス幅変調信号により明るさが制御されるように構成されている。
【００２８】
クリップ３は一つのランプ挾持部を有し、１本のランプ２の中間部を挾持する単数用クリップと、離隔した位置に複数のランプ挾持部を有し、隣合う複数本のランプの中間部を挾持する複数用クリップとがある。この種類が異なるクリップのランプ挾持部の構成は同じであるため、以下単数用クリップについて説明する。
【００２９】
クリップ３はランプ２の周方向の三分する位置、詳しくは三等分位置に対応する三つの位置の二つに配置されてランプ２の周面に当接する第１及び第２の当接部３１，３２を有し、且つランプ２の径方向に離隔して対向し、第１及び第２の当接部３１，３２をランプ２の周面に押圧してランプ２を挾持すべき第１及び第２の挾持片３３，３４と、支持部材１の反射面に対向し、第１及び第２の挾持片３３，３４を保持する保持台３５と、該保持台３５を後壁１２に取付ける取付部３６とを備える合成樹脂製であり、一体成形されている。
【００３０】
保持台３５には前記三つの位置の残り一つでランプ２の周面に当接する第３の当接部３７が一体に設けられている。この第３の当接部３７は第１及び第２の挾持片３３，３４の間の中央に配置されている。
【００３１】
第１及び第２の当接部３１，３２は略半円形をなし、ランプ２の周面と点接触するように構成されており、第３の当接部３７はランプ２の周面に対応する僅かな弧状面を有する略台形をなし、ランプ２の周面と面接触するように構成されている。
【００３２】
第１及び第２の挾持片３３，３４は保持台３５に対し略ハ字形をなし、離隔距離が長い下端部が保持台３５に一体に結合され、離隔距離が短い上端部の内側に当接部３１，３２が一体に設けられ、温度変化によりクリップ３が伸縮する際に、第１及び第２の当接部３１，３２をランプ２の径方向へ変位させるべき箇所を支点Ｏ１，Ｏ２として離隔方向への撓みが可能になっている。また、第１及び第２の挾持片３３，３４間にランプ２が挿嵌されるとき第１及び第２の挾持片３３，３４が離隔方向へ撓み、挿嵌後の挾持片３３，３４の弾性復元により第１及び第２の当接部３１，３２をランプ２に押圧し、第３の当接部３７がランプ２を押圧するように構成されている。
【００３３】
取付部３６は板状の基部３６ａの先端に二つの爪部３６ｂを有し、爪部３６ｂが後記する取付孔１３の孔縁部に係止されることにより保持台３５が後壁１２に取付けられる。
【００３４】
支持部材１の後壁１２にはランプ２の長手方向中央部と対向する位置で、且つランプ２の並置方向へ離隔した位置に複数の取付孔１３がランプ２の本数に対応して設けられている。
【００３５】
以上のように構成された光源装置は、支持部材１の取付孔１３にクリップ３の取付部３６が挿嵌係止され、また、支持部材１内に複数本のランプ２が上下に離隔して並置され、ホルダを枠部１１に取付けることによりランプ２の両端部が支持部材１内に保持されるとともに、ランプ２の中間部（中央部）がクリップ３の挾持片３３，３４間に挿嵌挾持される。
【００３６】
第１及び第２の挾持片３３，３４に設けられている第１及び第２の当接部３１，３２はランプ２の周面位置より内側に配置されており、ランプ２が挾持片３３，３４間に挿嵌されるとき、第１及び第２の当接部３１，３２がランプ２の周面に当接し、第１及び第２の挾持片３３，３４が離隔方向へ撓みつつランプ２が挾持片３３，３４間に挿嵌され、第１及び第２の挾持片３３，３４が近接方向へ弾性復元しつつ第１〜第３の当接部３１，３２，３７に押圧力を加え、第１及び第２の挾持片３３，３４が図３に示すようにランプ２を挾持する。このとき、第１及び第２の挾持片３３，３４はランプ２を挾持していない状態に比べて若干離隔方向へ撓んでいる。
【００３７】
また、クリップ３の第１及び第２の挾持片３３，３４に設けられている第１及び第２の当接部３１，３２と、保持台３５に設けられている第３の当接部３７とは図３に示すようにランプ２の周方向の三等分位置に対応する三つの位置に等配されているため、第１及び第２の挾持片３３，３４の弾性復元による押圧力を、三等配位置からランプ２の径方向に加えることができ、ランプ２の挾持力を強くすることができる。
【００３８】
図６はクリップが熱膨張した状態を示す説明図、図７はクリップの熱膨張により挾持片が撓んでいる状態を示す説明図である。クリップ３がランプ２を挾持している状態でランプ２が点灯され、図４〜図６の破線に示すようにクリップ３が熱膨張したとき、第１〜第３の当接部３１，３２，３７に前記押圧力の反力がランプ２の径方向へ加わり、該反力により第１及び第２の挾持片３３，３４が図４及び図５の一点鎖線の状態から下端部を支点Ｏ１，Ｏ２として離隔方向へ撓み量Ａだけ撓み、第１及び第２の挾持片３３，３４に設けられている当接部３１，３２は、図４及び図５に示すようにランプ２の径方向外方（矢印Ｆ方向）へ変位し、当接部３１，３２の周方向へのずれ量はないか、又は僅かであり、図７及び図４、図５の実線の状態になる。この際、第１及び第２の当接部３１，３２は、図５に示すようにランプ２との当接位置がランプ２の周方向へずれることなく、又は僅かにずれてランプ２の径方向外方へ変位するため、ランプ２との間に相対移動をなくすることができる。
【００３９】
尚、以上説明した実施の形態のクリップ３は第１及び第２の挾持片３３，３４を保持台３５に対しハ字形に配置したが、その他、第１及び第２の挾持片３３，３４の一方を図３に示した形状、即ち、挾持片３３，３４間の中央に対し離隔する位置を支点として撓み可能な形状とし、他方を図８に示した形状、即ち、挾持片間の中央に対し接近する位置を支点として撓み可能な形状とし、温度変化でクリップが伸縮する際、図３に示す一方の挾持片を、該挾持片に設ける当接部をランプの径方向へ変位させるように構成してもよい。
また、以上説明した実施の形態では、ランプ２の周方向の三等分位置に対応する三つの位置の二つに第１及び第２の当接部３１，３２を配置したが、その他、前記三つの位置は前記三等分位置に近い三つの位置であればよい。
【図面の簡単な説明】
【００４０】
【図１】本発明に係る光源装置の構成を示す分解図である。
【図２】本発明に係る光源装置の支持部材の構成を示す平面図である。
【図３】本発明に係るクリップの構成を示す正面図である。
【図４】本発明に係るクリップが熱膨張し、挾持片が撓んでいる状態を示す説明図である。
【図５】本発明に係るクリップの挾持片が撓んでいる状態を示す拡大した説明図である。
【図６】本発明に係るクリップが熱膨張した状態を示す説明図である。
【図７】本発明に係るクリップの熱膨張により挾持片が撓んでいる状態を示す説明図である。
【図８】従来のクリップの構成を示す正面図である。
【図９】温度変化により従来のクリップが熱膨張した状態を示す説明図である。
【図１０】熱膨張により従来のクリップの挾持片が撓んだ状態を示す説明図である。
【図１１】熱膨張により従来のクリップの挾持片が撓んだ状態を拡大した説明図である。
【符号の説明】
【００４１】
１    支持部材
２    ランプ
３    クリップ
３１，３２，３７  当接部
３３，３４  挾持片
３５  保持台
【図１】
2008108627.tif 000003
【図２】
2008108627.tif 000004
【図３】
2008108627.tif 000005
【図４】
2008108627.tif 000006
【図５】
2008108627.tif 000007
【図６】
2008108627.tif 000008
【図７】
2008108627.tif 000009
【図８】
2008108627.tif 000010
【図９】
2008108627.tif 000011
【図１０】
2008108627.tif 000012
【図１１】
2008108627.tif 000013